(57)【特許請求の範囲】
【請求項１】
略長方形の携帯機器の周囲を覆うエラストマー製のプロテクタであって、携帯機器の全周囲を覆う部分から携帯機器取出し用開口部、操作用、覗き用またはコネクター接続用等の窓を除去して構成される携帯機器のプロテクタにおいて、把持部の肉厚を把持部以外の部分の肉厚より薄くした携帯機器のプロテクタ。
【請求項２】
覗き用窓の周囲にリブ状の突起を設けた請求項１の携帯機器のプロテクタ。
【請求項３】
携帯機器取出し用開口部に切り込みを設けた請求項１または２の携帯機器のプロテクタ。
【請求項４】
携帯機器取出し用開口部の切り込みの両側から前記切り込みを跨ぐように延びる把手を設けた請求項３の携帯機器のプロテクタ。
【発明の詳細な説明】
【０００１】
【発明の属する技術分野】
この発明は携帯機器のプロテクタに係わり、特に、取付け取り外しが容易に行え、衝撃破壊の防止効果の大きい携帯機器のプロテクタに関する。
【０００２】
【従来の技術】
従来の携帯機器用プロテクタの例を図４に示す。図４（ｂ）に示すように、プロテクタは箱型形状のゴム製上部プロテクタ４とゴム製下部プロテクタ５が左右側面でサイドバンド６、６で連結された構成とっなっている。
【０００３】
図４（ａ）に示す状態に携帯機器２に装着するには上部プロテクタ４と下部プロテクタ５とを引き離すようにしてサイドバンド６、６を延ばし上下の開口部間を広くして携帯機器を上部プロテクタ４と下部プロテクタ５との中に入れる。携帯機器を取り外すときにもサイドバンド６、６を延ばす。
【０００４】
【発明が解決しようとする課題】
上記した従来の携帯機器用プロテクタは、操作面の周囲が大きく露出するために携帯機器を落とす等して障害物と衝突させたときに操作部の保護ができないときがあった。
【０００５】
また、上部プロテクタ４または下部プロテクタ５が完全に携帯機器から外れないと、プロテクタを取り外すことができないので、脱着時にサイドバンド６、６を伸ばすために大きい力を必要とし、脱着が困難であった。このことは、側面の強度を増すためにサイドバンドの肉厚を厚くしたときに特に著しくなる。
【０００６】
この発明は上記した点に鑑みてなされたものであって、その目的とするところは、取付け取り外しが容易に行え、衝撃破壊の防止効果の大きい携帯機器のプロテクタを提供することにある。
【０００７】
【課題を解決するための手段】
この発明の携帯機器のプロテクタは、略長方形の携帯機器の周囲を覆うエラストマー製のプロテクタであって、携帯機器の全周囲を覆う部分から携帯機器取出し用開口部、操作用、覗き用またはコネクター接続用等の窓を除去して構成される携帯機器のプロテクタにおいて、把持部の肉厚を把持部以外の部分の肉厚より薄くしたものである。
【０００９】
また、前記携帯機器のプロテクタにおいて、覗き用窓の周囲にリブ状の突起を設けたものである。
【００１０】
また、前記各携帯機器のプロテクタにおいて、携帯機器取出し用開口部に切り込みを設けたものである。
【００１１】
さらに、前記携帯機器のプロテクタにおいて、携帯機器取出し用開口部の切り込みの両側から前記切り込みを跨ぐように延びる把手を設けたものである。
【００１２】
【発明の実施の形態】
この発明の実施例である携帯機器のプロテクタを図面に基づいて説明する。図１はこの発明の実施例である携帯機器のプロテクタを裏側から見た斜視図、図２は同携帯機器のプロテクタを表側から見た斜視図である。図１、２共に携帯機器２に装着した状態を示している。
【００１３】
ゴム製プロテクタ１は図１に示すように略長方形に形成されており、その裏面には携帯機器２を着脱するための携帯機器取出し用開口部１ａが開口している。携帯機器取出し用開口部１ａの前後方向の端部には切り込み１ｂ、１ｂが設けられている。さらに、前方の切り込み１ｂを挟むように把手１ｃが設けられている。ゴム製プロテクタ１の中間部側面は他の部分より肉厚の薄い把持部１ｄとなっている。
【００１４】
ゴム製プロテクタ１の表面には図２に示すように操作用窓１ｅ、覗き窓１ｇおよび透光窓１ｊが設けられている。また、側面にはコネクタ用窓１ｋが設けられている。操作用窓１ｅは携帯機器２の操作用キー２ａを操作するためのものであり、その周囲は中側が低くなる傾斜面１ｆとなっている。
【００１５】
覗き窓１ｇは携帯機器２のディスプレー２ｂを見るためのものであり、その周囲にはディスプレー２ｂを保護するためにリブ状突起１ｈが形成されている。透光窓１ｊは携帯機器２のカメラに外部からの光を通すものである。コネクタ用窓１ｋは外部と配線するためのコネクタを差込むために設けられている。
【００１６】
このように形成されたゴム製プロテクタ１は携帯機器２を広く覆うため携帯機器２を衝撃に対して保護する効果が大きい。また、図１に示すようよに把手１ｃを引っ張ることにより携帯機器取出し用開口部１ａを広げることができ、携帯機器２の着脱が容易である。
【００１７】
また、把持部１ｄが他の部分より肉厚が薄いので手で持ちやすい。また、表面は必要最小限の部分しか開口していないので、携帯機器２の衝撃による破壊に対する防止効果が高い。特にディスプレー２ｂの周囲にはリブ状突起１ｈがあるためディスプレーが破壊される恐れが少ない。
【００１８】
実施例は以上のように構成されているが、発明はこれに限られず、例えば、材質はゴム以外でもよく、収縮性のある樹脂（エラストマー）を使用しても発明の効果が得られる。図３にこの発明の参考例である携帯機器のプロテクタを示す。この例ではゴム製プロテクタ３の表面および裏面に携帯機器取出し用開口部３ｄが設けられている。また、長手方向の側面には把手３ｂ、３ｂが設けられ前後の側面には把手３ａ、３ａが設けられている。このように把手が４つの側面に設けられているため、携帯機器の着脱が一層容易であり、また、把手による衝撃防止効果も大きい。
【００１９】
【発明の効果】
この発明の携帯機器のプロテクタによれば、把持部以外の部分の肉厚を厚くしたため機器への衝撃吸収能力が増大した。また、覗き用窓の周囲にリブ状の突起を設けたため、ディスプレーの保護能力が高められる。さらに、携帯機器取出し用開口部に切り込みを設けたため携帯機器取出し用開口部が広がりやすく機器の着脱が容易となる。
【００２０】
また、携帯機器取出し用開口部の切り込みの両側から前記切り込みを跨ぐように延びる把手を設けたことにより指で引っ張り携帯機器取出し用開口部を広げることができ、機器の着脱がさらに容易となる。そして、この把手は落下時に機器から突出しているコネクタ等の保護となる。また、把手は肉厚が厚いため携帯機器取出し用開口部が不用意に開くことを防止する。
【図面の簡単な説明】
【図１】  この発明の実施例である携帯機器のプロテクタを裏側から見た斜視図である。
【図２】  同携帯機器のプロテクタを表側から見た斜視図である。
【図３】  この発明の参考例である携帯機器のプロテクタを示す斜視図である。
【図４】  図４（ａ）は従来の携帯機器のプロテクタを携帯機器に取付けた状態を示す斜視図、図４（ｂ）は同携帯機器のプロテクタを示す斜視図である。
【符号の説明】
１  ゴム製プロテクタ、１ａ  携帯機器取出し用開口部、１ｂ  切り込み
１ｃ  把手、１ｄ  把持部、１ｅ  操作用窓、１ｆ  傾斜面、１ｇ  覗き窓
１ｈ  リブ状突起、１ｊ  透光窓、１ｋ  コネクタ用窓
２  携帯機器、２ａ  操作用キー、２ｂ  ディスプレー
３  ゴム製プロテクタ、３ａ、３ｂ  把手、３ｄ  携帯機器取出し用開口部
４  上部プロテクタ
５  下部プロテクタ
６  サイドバンド
【図１】
0003704439.tif 000002
【図２】
0003704439.tif 000003
【図３】
0003704439.tif 000004
【図４】
0003704439.tif 000005